(57)【要約】      （修正有）【課題】同じ野菜工場内で多品種の野菜の同時の水耕栽培が可能で、最終消費地の店舗などに野菜を工場から移し替えることなく供給して新鮮な状態を維持でき、さらに店舗などにおいても引き続き栽培ボックスとしても使用可能な野菜水耕栽培システムを提供する。【解決手段】光、温度、液肥を利用して野菜を水耕栽培する装置で、栽培室の栽培トレイに液肥を供給するボックス内液肥供給管のボックス内液肥貯留タンクに外部から液肥が供給される構造からなる野菜水耕栽培小型ボックス２と、上記野菜水耕栽培小型ボックス２を収納するボックス収納棚４１を備え、且つボックス内液肥貯留タンクに液肥を供給する本体側液肥供給管を備えた立体型収納棚４と、各ボックス収納棚４１に上記野菜水耕栽培小型ボックス２を収納台車に載せた状態で収納及びそこから取り出す昇降移動装置５とを備えた立体型ボックス収納栽培装置３とからなる。【選択図】図１
2012200222.tif 000002
【特許請求の範囲】
【請求項１】
光、温度、水耕栽培用の液肥を利用して、その内部で野菜を水耕栽培し生育させる装置であって、内部に栽培室を備え、栽培室には上下段の棚に栽培トレイが置かれ、上下の各栽培トレイに液肥を供給するボックス内液肥供給管が上下方向に配管され、ボックス内液肥供給管の上端側は栽培室の上部側に設けられたボックス内液肥貯留タンクに接続され、ボックス内液肥貯留タンクには外部から液肥が供給される構造からなる野菜水耕栽培小型ボックスと、
上記野菜水耕栽培小型ボックスを収納する上下段及び左右列方向に複数のボックス収納棚を備え、且つ各ボックス収納棚には上記野菜水耕栽培小型ボックスのボックス内液肥貯留タンクに液肥を供給する本体側液肥供給管を備えた立体型収納棚と、立体型収納棚の各ボックス収納棚に上記野菜水耕栽培小型ボックスを収納台車に載せた状態で収納及びそこから取り出す昇降移動装置とを備えた立体型ボックス収納栽培装置とからなり、
立体型収納棚に収納してその内部で野菜が栽培された野菜水耕栽培小型ボックスの野菜を該ボックスから移し移し替えることなく、消費地まで野菜水耕栽培小型ボックスで移動させ、消費するときに野菜水耕栽培小型ボックスから始めて野菜を取り出すようにしたことを特徴とする野菜水耕栽培システム。
【請求項２】
野菜水耕栽培小型ボックスの差込プラグが差し込まれるコンセントが取り付けられた受電器が収納台車に設けられ、各ボックス収納棚に本体側給電器が設けられ、受電器が本体側給電器に接触することで通電し、立体型収納棚側から本体側給電器、受電器、コンセントの差込プラグを通じて野菜水耕栽培小型ボックスに電源が供給される請求項１記載の野菜水耕栽培システム。
【発明の詳細な説明】
【技術分野】
【０００１】
この発明は、野菜水耕栽培小型ボックスを立体型ボックス収納栽培装置の立体型収納棚にそれぞれ収納させて、立体型収納棚に収納された各野菜水耕栽培小型ボックス内で野菜を個別に水耕栽培すると共に、各ボックス内で栽培された野菜をそれから取り出すことなく、野菜水耕栽培小型ボックスにいれた状態で消費地の各店舗まで運び、各店舗で販売或いは使用されるまでの間もその野菜水耕栽培小型ボックス内で生育させて、新鮮な野菜の状態を提供する野菜水耕栽培システムに関するものである。
【背景技術】
【０００２】
立体栽培施設を利用して植物を栽培する技術として、例えば特開２０００−２０９９７０の立体式水耕栽培設備、特開平７−１１１８２８の植物の立体栽培装置などが出願されている。
特開２０００−２０９９７０の立体式水耕栽培設備は、建物の内部に立体式水耕栽培設備が設置され、この設置された立体式水耕栽培設備の立体式の集合棚を利用して、水耕栽培が行われている。照明、温度管理、肥料水溶液の供給を通じて建物の内部の全体で水耕栽培が行われている。
同様に、特開平７−１１１８２８の植物の立体栽培装置も、建物の内部に立体栽培装置が設置され、この設置された立体栽培装置の立体式の栽培棚を利用して、水耕栽培が行われている。照明、温度管理、水耕液の供給を通じて建物の内部の全体で水耕栽培が行われている。
また、一つの装置で複数の機能を発揮でき、又小型軽量かつ低運転コストで植物の育成条件を容易かつ合理的に制御できる植物自動育成装置（特開２００４−１２９６２１）が出願されている。
この特開２００４−１２９６２１の植物自動育成装置は、日照時間の調整機能手段を備えた植物栽培室と、該植物栽培室内の温度及び湿度を調整する温度湿度駆動手段と、該植物栽培室内へ散水又は噴霧する水分補給手段と、前記日照時間の調整機能手段、温度湿度駆動手段及び水分補給手段を制御する中央制御手段とを備えている。
【先行技術文献】
【特許文献】
【０００３】
【特許文献１】特開２０００−２０９９７０
【特許文献２】特開平７−１１１８２８
【特許文献３】特開２００４−１２９６２１
【発明の概要】
【発明が解決しようとする課題】
【０００４】
しかしながら、特開２０００−２０９９７０の立体式水耕栽培設備、特開平７−１１１８２８の植物の立体栽培装置の各発明にあっては、建物の内部の全体で水耕栽培を行っているため、建物の内部の全体を均一に照らす照明コストや温度コストがかかる。しかもその光や温度立体式の集合棚や栽培棚の各棚を全て同一の光や温度の状態に維持することが困難である。つまり、各棚の位置によって光や温度条件が微妙に異なる。つまり立体式の集合棚や栽培棚の各棚の位置によって栽培環境が異なり、植物を均一に成長させることが困難である。
このため、特開２０００−２０９９７０、特開平７−１１１８２８の発明では、各棚で生育している植物の棚を取り出して別の位置に定期的に移動させて、各棚の位置によって異なる栽培環境の解消を計り、成長が均一になるようにコントロールする必要があるが、移動させることにはコストがかかり、又面倒であった。
また、例え、生育の途中で生育場所を定期的に移動させたとしても、成長の時期によって光や温度の生育条件が異なることに代わりはなく、全部の植物を均一に成長させることはやはり困難であると考えられる。
さらに、特開２０００−２０９９７０、特開平７−１１１８２８の発明では、建物の内部の全体で同じ光りや温度の管理下で植物の栽培を行うため、異なる種類の植物を同時に栽培することはできない。つまり、一品種、多量生産は可能であるが、多品種、少量生産はできない。
一方、特開２００４−１２９６２１の植物自動育成装置の発明にあっては、この装置内で植物を育成できるが、水分補給手段として、タンクと該タンクから水又は養分液を吸上げるポンプとを備えているため、これらの配置スペースを必要とする結果、その分、植物栽培室が狭くなり、また、ポンプの費用分だけコスト増となり、植物自動育成装置を移動させる場合もポンプの重量分だけ重くなるという問題がある。
【０００５】
この発明は、上記のような課題に鑑み、その課題を解決すべく創案されたものであって、その目的とするところは、同じ野菜工場内で多品種の野菜の同時の水耕栽培が可能で、野菜水耕栽培ボックスを小型でしかも液肥の供給駆動源を備えず簡略化でき、また最終消費地の店舗などに野菜を工場から移し替えることなく供給して新鮮な状態を維持でき、さらに店舗などにおいても引き続き栽培ボックスとしても使用可能な野菜水耕栽培システムを提供することにある。
【課題を解決するための手段】
【０００６】
以上の課題を達成するために、この発明は、光、温度、水耕栽培用の液肥を利用して、その内部で野菜を水耕栽培し生育させる装置であって、内部に栽培室を備え、栽培室には上下段の棚に栽培トレイが置かれ、上下の各栽培トレイに液肥を供給するボックス内液肥供給管が上下方向に配管され、ボックス内液肥供給管の上端側は栽培室の上部側に設けられたボックス内液肥貯留タンクに接続され、ボックス内液肥貯留タンクには外部から液肥が供給される構造からなる野菜水耕栽培小型ボックスと、上記野菜水耕栽培小型ボックスを収納する上下段及び左右列方向に複数のボックス収納棚を備え、且つ各ボックス収納棚には上記野菜水耕栽培小型ボックスのボックス内液肥貯留タンクに液肥を供給する本体側液肥供給管を備えた立体型収納棚と、立体型収納棚の各ボックス収納棚に上記野菜水耕栽培小型ボックスを収納台車に載せた状態で収納及びそこから取り出す昇降移動装置とを備えた立体型ボックス収納栽培装置とからなり、立体型収納棚に収納してその内部で野菜が栽培された野菜水耕栽培小型ボックスの野菜を該ボックスから移し移し替えることなく、消費地まで野菜水耕栽培小型ボックスで移動させ、消費するときに野菜水耕栽培小型ボックスから始めて野菜を取り出すようにした手段よりなるものである。
【発明の効果】
【０００７】
課題を解決するための手段よりなるこの発明に係る野菜水耕栽培システムによれば、独立の野菜水耕栽培小型ボックス内で個別に野菜を生育させるため、各野菜水耕栽培小型ボックス内の光や温度条件を同じにすることで、立体収納棚の収納位置に関係なく、栽培環境を同じにできるので、特願２０００−２０９９７０のように、収納棚内の野菜水耕栽培小型ボックスの位置を定期的に移動させる必要がない。
また、特願２０００−２０９９７０は大きな生育室の立体収納棚を利用して栽培するため、例え、生育の途中で生育場所を定期的に移動させたとしても、全部の野菜を均一に成長させることは困難であるが、この発明では全ての野菜水耕栽培小型ボックス内の光や温度条件を同一にすることで、全ての栽培環境を同一に維持することができ、各野菜水耕栽培小型ボックス内の野菜を同じ栽培環境下で成長させることが可能となる。
しかも、この発明は、独立の野菜水耕栽培小型ボックス内で光や温度管理を個別に行って野菜を栽培させることができるので、各野菜水耕栽培小型ボックスで異なる野菜の栽培が可能となる。しかし、特願２０００−２０９９７０では、室内全体で同じ光りや温度の管理下で植物の栽培を行うため、異なる種類の植物を同時に栽培することはできない。つまり、一品種、多量生産は可能であるが、多品種、少量生産はできない。これに対して、この発明では、立体型収納棚の各ボックス収納棚内で異なる野菜の栽培が可能となり、一品種、多量生産も可能であると共に、多品種、少量生産も可能となる等、極めて新規的有益なる効果を奏するものである。
【図面の簡単な説明】
【０００８】
【図１】この発明を実施するための形態を示す概略全体斜視図である。
【図２】この発明を実施するための形態を示す野菜水耕栽培小型ボックスの概略内部正面図である。
【図３】この発明を実施するための形態を示す野菜水耕栽培小型ボックスの概略内部側面図である。
【図４】この発明を実施するための形態を示す立体型ボックス収納栽培装置の正面図である。
【図５】この発明を実施するための形態を示す立体型ボックス収納栽培装置の左側面図である。
【図６】この発明を実施するための形態を示す立体型ボックス収納栽培装置の右側面図である。
【図７】この発明を実施するための形態を示す立体型ボックス収納栽培装置の平面図である。
【図８】この発明を実施するための形態を示す昇降移動装置の部分側面図である。
【図９】この発明を実施するための形態を示す昇降移動装置の部分正面図である。
【図１０】この発明を実施するための形態を示す昇降移動装置の部分平面図である。
【図１１】この発明を実施するための形態を示す昇降移動装置の床面側の部分平面図である。
【図１２】この発明を実施するための形態を示す立体型収納棚が走行路の両側にある場合の昇降移動装置の部分側面図である。
【図１３】この発明を実施するための形態を示す立体型収納棚が走行路の両側にある場合の昇降移動装置の部分平面図である。
【発明を実施するための形態】
【０００９】
以下、図面に記載の発明を実施するための形態に基づいて、この発明をより具体的に説明する。
【００１０】
図において、野菜水耕栽培小型ボックス２は、光、温度、水耕栽培用の液肥を利用して、その内部で野菜を水耕栽培し生育させる装置で、立体型ボックス収納栽培装置３の立体型収納棚４に収納されて野菜の水耕栽培が行われ、野菜の成長後は内部から野菜を取り出すことなく、ボックス自体を消費地の店舗などまで移動させ、店舗内でも栽培装置として引き続き使用できると共に、陳列棚としても使用できるものである。
【００１１】
野菜水耕栽培小型ボックス２は、従来の野菜工場のように、工場で作られた野菜をそれぞれ取り出して、搬送容器に入れる手間を省略でき、また野菜を取り出して搬送容器に移し替える際に鮮度が落ちるのを防ぐことができ、さらに消費地の店舗などにおいても、搬送容器から取り出して店舗側の陳列棚などに移し替えることなく栽培装置として使用して、野菜の水耕栽培を続けさせることができ、新鮮な状態を維持させることができる等の利点も備えている。
【００１２】
野菜水耕栽培小型ボックス２は例えば横長な箱形の外形を有し、その正面側には開閉扉２１が設けられている。この開閉扉２１によって内部の栽培室２２の熱が放出されたり、逆に外部の熱が栽培室２２に流入するのが防がれて、栽培室２２の内部が均一の温度に維持されるようになっている。この開閉扉２１の中央には図示しない覗窓が設けられ、この覗窓には透明なガラスが取り付けられて、内外からの熱の流出入を遮断している。開閉扉２１を開けずに、つまり内部の温度状態を代えることなく、覗窓を通して内部の野菜の生育状態を把握することができる。
【００１３】
内部の栽培室２２は密閉室になっていて、例えば上下３段に仕切られており、仕切られた各棚２２ａには水耕栽培用の栽培トレイ２２ｂが載置されている。栽培トレイ２２ｂは例えば平面から見て長方形状で上面側が開口され、底面及び４側面が閉塞されていて、液肥が漏れないようになっていて、この栽培トレイ２２ｂで野菜が水耕栽培される。栽培トレイ２２ｂには外部から注入される水耕栽培用の液肥が適宜注入される構造になっている。野菜は栽培トレイ２２ｂ内の底面側に注入されている液肥を肥料にして生育される。
【００１４】
各棚２２ａの天井側には、水耕栽培される野菜に光をあてるための光源２３が下向きに取り付けられている。光源２３はその下側に載置された栽培トレイ２２ｂの野菜に向けて光りをあてる。光源２３には例えば、ＬＥＤ照明、蛍光灯、紫外線灯などの各種の光源が必要に応じて取り付けられる。光源２３から照明時間は制御部収納室内に収納された図示しないパソコンなどの制御装置によって制御される。
【００１５】
栽培室２２には、上下に配置された各栽培トレイ２２ｂに外部から注入される水耕栽培用の液肥をそれぞれ供給するためのボックス内液肥供給管２４が上側から下向きに配管されている。ボックス内液肥供給管２４は図面では栽培室２２の奥側に下向きに取り付けられている。ボックス内液肥供給管２４は各ボックス棚２２ａを貫通する形で取り付けられている。
【００１６】
下向きに配下管されたボックス内液肥供給管２４からは、下端側の除きそれぞれの各栽培トレイ２２ｂに液肥を供給するための分岐供給管２４ａが横向きに分岐し、分岐した各分岐供給管２４ａの先端側は下向きに曲がって各栽培トレイ２２ｂに臨んでいて、各分岐供給管２４ａの先端から各栽培トレイ２２ｂに液肥が漏れることなく供給できるようになっている。ボックス内液肥供給管２４の下端側は分岐供給管２４ａと同じように横向きに曲がり、さらにその先端側は下向きに曲がって各栽培トレイ２２ｂに臨んでいる。
【００１７】
ボックス内液肥供給管２４の上端側は栽培室２２の天井側を貫通して上方に延びていて、栽培室２２の上部側の制御部収納室２５内に設置されたボックス内液肥貯留タンク２６の排出口２６ａに接続されている。外部から注入された液肥は、一時的にこのボックス内液肥貯留タンク２６に貯留されて、排出口２６ａからボックス内液肥供給管２４及び分岐供給管２４ａを通じて各栽培トレイ２２ｂに供給される。
【００１８】
ボックス内液肥貯留タンク２６の上面には、本体側液肥供給管から供給される液肥を入れるための注入口２６ｂが形成されている。注入口２６ｂは野菜水耕栽培小型ボックス２が本体側の収納棚に収納される場合には事前に開口されていて、本体側液肥供給管の先端側から液肥が注入口２６ｂを通じてボックス内液肥貯留タンク２６内に一時的に貯留される。
【００１９】
この野菜水耕栽培小型ボックス２を収納棚から取り出して、消費地の店舗などに輸送する場合には蓋が取り付けられて塞がれる。また、消費地の店舗などではこの注入口２６ｂの蓋が開けられ、液肥が入った小型容器の注ぎ口がその上から逆さまの下向きの状態で直に接続されて、小型容器内の液肥が注入口２６ｂを通じてボックス内液肥貯留タンク２６に供給される。
【００２０】
前記したように、野菜水耕栽培小型ボックス２の栽培室２２の上部側には、制御部収納室２５が設けられていて、前記のボックス内液肥貯留タンク２６やマイコンなどの制御装置２７が収納して設置されている。制御装置２７は光源２３の照射時間を制御し、栽培室２２の室温を制御する。
【００２１】
野菜水耕栽培小型ボックス２の栽培室２２の下部側には温度調整装置収納室２８が設けられていて、この温度調整装置収納室２８には栽培室２２に温風又は冷風を供給して栽培室２２の温度を調整するための温度調整装置２９が収納されている。
【００２２】
野菜水耕栽培小型ボックス２の箱形の外側下部の四隅にはキャスター２ａがそれぞれ取り付けられていて、このキャスター２ａによって野菜水耕栽培小型ボックス２は移動可能な構造になっている。即ち、野菜水耕栽培小型ボックス２はこのキャスター２ａによって、収納棚に収納されたりそこから取り出される場合に移動できるようになっている。消費地の店舗などの店内に野菜水耕栽培小型ボックス２を移動する場合も、このキャスター２ａによってスムーズに移動させることができる。
【００２３】
立体型ボックス収納栽培装置３は、内部で野菜が栽培される前記の野菜水耕栽培小型ボックス２を上下及び左右方向に立体的に収納する立体型収納棚４と、立体型収納棚４の各棚に野菜水耕栽培小型ボックス２を収納し、又これから取り出す際に使用される昇降移動装置５とから構成される。
【００２４】
立体型ボックス収納栽培装置３は、複数の鋼製縦フレーム３１が左右の長さ方向に幅広に及び前後方向に所定の間隔で垂直に設けられ、これらの鋼製縦フレーム３１に対して直交するように鋼製横フレーム３２が上下方向に所定の間隔で水平に設けられて、左右及び前後に隣り合う鋼製縦フレーム３１を水平向きに設けられた鋼製横フレーム３２で連結して格子状の骨組の建屋が構築されている。
【００２５】
複数の鋼製縦フレーム３１と鋼製横フレーム３２で格子状の骨組が構成された立体型ボックス収納栽培装置３の建屋は、平面からみて左右方向に長く、前後方向は短くなっている。短い前後方向の内部は、広めの前半側は昇降移動装置５が左右方向に移動できる空間の走行路３３になっており、狭めの後半側には立体型収納棚４が設置されている。
【００２６】
立体型ボックス収納栽培装置３の建屋の内部の後半部側に設置された立体型収納棚４には、上下段及び左右列方向に各野菜水耕栽培小型ボックス２を収納できるボックス収納棚４１がそれぞれ形成されている。ボックス収納棚４１は、全体斜視図では高さ方向が４段、左右幅方向では７列で図示しているが、正面図では詳細に表示するために高さ方向３段、左右幅方向３列で図示している。
【００２７】
立体型収納棚４に設けられた各ボックス収納棚４１のうち、その一つは各ボックス収納棚４１に各野菜水耕栽培小型ボックス２を収納させるための専用の受け渡しステージ４１ａとして使用される。立体型ボックス収納栽培装置３の出入り口の向かい側に位置するボックス収納棚４１が受け渡しステージ４１ａとして使用される。
【００２８】
つまり、立体型ボックス収納栽培装置３の出入り口から入れられた野菜水耕栽培小型ボックス２は一旦、その向かい側の受け渡しステージ４１ａに置かれ、そこから、昇降移動装置５に載せられて所定のボックス収納棚４１に運ばれる。また、ボックス収納棚４１から取り出された野菜水耕栽培小型ボックス２は一旦、受け渡しステージ４１ａに置かれ、それから立体型ボックス収納栽培装置３の外部に搬出される。
【００２９】
各野菜水耕栽培小型ボックス２は収納台車４２の上に載せられた状態で各ボックス収納棚４１に収納され、そこでボックス内部の野菜の生育が行われる。収納台車４２の床台の下面には移動用のキャスター４２ａが取り付けられている。収納台車４２の床台の方形状の周縁の前面、後面及び左右の各側面部分には、キャスター２ａを備えた野菜水耕栽培小型ボックス２がそこから逸脱しないように低い側壁面が形成されている。
【００３０】
収納台車４２の前面側に位置する側壁面の中央には、この収納台車４２をボックス収納棚４１に入れたり出したりする際に利用されるコ字状の係止受け４２ｂが前方に向けて突出するように設けられている。このコ字状の係止受け４２ｂ内に後述の係止爪５２ｄが係合されることで出し入れが行われる
【００３１】
収納台車４２の後面側に位置する側壁面の中央には、後方に向けて受電器４２ｃが設けられている。この受電器４２ｃには野菜水耕栽培小型ボックス２側の差込プラグ２ｂが差し込まれるコンセント４２ｄが設けられている。野菜水耕栽培小型ボックス２が収納台車４２に載せられたときに、この差込プラグ２ｂがコンセント４２ｄに差し込まれる。
【００３２】
野菜水耕栽培小型ボックス２を収納台車４２から下ろすときには、この差込プラグ２ｂはコンセント４２ｄから抜き取られる。野菜水耕栽培小型ボックス２が店舗などに搬入された際にはこの差込プラグ２ｂは店舗のコンセントに差し込まれて、野菜水耕栽培小型ボックス２は電源の供給を受けるようになる。
【００３３】
収納台車４２がボックス収納棚４１に収納された際に受電器４２ｃが接触する本体側給電器４１ｂが各ボックス収納棚４１の奥側中央下部に設けられている。受電器４２ｃが本体側給電器４１ｂに接触することで通電し、立体型収納棚４側からの電源は本体側給電器４１ｂ、受電器４２ｃ、コンセント４２ｄの差込プラグ２ｂを通じて野菜水耕栽培小型ボックス２に供給される。
【００３４】
各ボックス収納棚４１には、野菜水耕栽培小型ボックス２内で生育される野菜に外部から液肥を供給するために、本体側液肥供給管４３が配管されている。図面では本体側液肥供給管４３はボックス収納棚４１の奥側に上下向きに配管されているが、左右方向に配管してもよい。
【００３５】
例えば上下向きに配下管された本体側液肥供給管４３からは、各ボックス収納棚４１の野菜水耕栽培小型ボックス２に液肥を供給するための分岐供給管４３ａが横向きに分岐している。分岐した各分岐供給管４３ａの先端側は下向きに曲がって各野菜水耕栽培小型ボックス２の上部側に設けられたボックス内液肥貯留タンク２６の注入口２６ｂに臨んでいる。
【００３６】
分岐した各分岐供給管４３ａには本体側液肥バルブ４３ｂがそれぞれ設けられていて、この本体側液肥バルブ４３ｂを通じて、各野菜水耕栽培小型ボックス２に供給される液肥の流量を調整できるようになっている。また、野菜水耕栽培小型ボックス２がボックス収納棚４１から取り出される場合には、本体側液肥バルブ４３ｂは閉じられて、液肥の供給が止められる。
【００３７】
昇降移動装置５は、収納台車４２に載せた野菜水耕栽培小型ボックス２を立体型収納棚４の左右の列方向に移動し、そこから上方に引き上げて所定の各ボックス収納棚４１に収納し、また逆の手順で各ボックス収納棚４１から野菜水耕栽培小型ボックス２を取り出す装置である。昇降移動装置５は立体型ボックス収納栽培装置３の広めの前半側の走行路３３に左右方向に移動自在に設けられている。
【００３８】
走行昇降塔５１は、立体型ボックス収納栽培装置３の広めの前半側の走行路３３の床面に、左右方向に敷設されたレール５ａの上を走行する。走行昇降塔５１は平面から見て、方形状の形状を有し、その４つの角部には上下に延びる鋼製の縦フレーム５１ａが配置され、４つの縦フレーム５１ａはこれに直角に設けられた複数の鋼製の横フレーム５１ｂによって、上下両端及び中間部分が強固に連結されている。
【００３９】
走行昇降塔５１の下端側には、上記のレール５ａの上を走行するために、車輪５１ｃが取り付けられている。車輪５１ｃは左右及び前後の４箇所に取り付けられている。各車輪５１ｃは車軸によって回転自在に支持されている。レール５ａは中央部分が窪んだ溝型になっていて、車輪５１ｃは溝型のレール５ａの上を走行するので脱輪のおそれはない。
【００４０】
走行昇降塔５１の上端の屋上の中央には、この走行昇降塔５１の内部を昇降する昇降機５２を昇降させるために、昇降用スプロケット５１ｄが設けられている。昇降用スプロケット５１ｄは減速機を介して昇降用モータに連動連結されている。この昇降用スプロケット５１ｄには昇降チェーン５１ｅが噛み合って垂下していて、昇降チェーン５１ｅの垂下した先端は昇降機５２の天井中央に連結されている。昇降チェーン５１ｅの他方の先端にはバランス重りが連結されている。
【００４１】
走行昇降塔５１の上端の屋上には、走行昇降塔５１の上部側が傾くのを防ぐためのガイドローラ５１ｆが上向きに取り付けられている。立体型ボックス収納栽培装置３の前半側の天井側にはこのガイドローラ５１ｆをガイドするためのガイドレールが走行昇降塔５１の走行方向に向けて取り付けられている。ガイドレールは中央部分が窪んだ溝型になっていて、ガイドローラ５１ｆは溝型のガイドレールの内部側を走行するので、そこから逸脱することはなく、走行昇降塔５１の上部側が傾くのを防ぐことができる。
【００４２】
走行昇降塔５１の下端の中央には、この走行昇降塔５１を左右に走行させるためのローラーチェーン５１ｇが左右方向間に取り付けられている。ローラーチェーン５１ｇは走行昇降塔５１の走行移動範囲の走行路３３の間に延設されている。ローラーチェーン５１ｇの両端側は立体型ボックス収納栽培装置３の走行路３３の左右の両端側の下端側に設けられたローラー間で反転して走行昇降塔５１の下端中央にそれぞれ連結されている。ローラーチェーン５１ｇと噛み合ってこれを直接駆動させる駆動スプロケットは減速機を介して走行用モータに連動連結されている。
【００４３】
走行昇降塔５１には、昇降機５２が昇降する範囲で、上下段の各ボックス収納棚４１の高さ位置を検出する高さ位置検出センサー５１ｈがそれぞれ設けられている。また、立体型ボックス収納栽培装置３の下部には、走行昇降塔５１の走行する移動範囲で、ボックス収納棚４１の左右の列方向位置を検出する移動位置検出センサー３４がそれぞれ設けられている。
【００４４】
昇降機５２は野菜水耕栽培小型ボックス２を載せて走行昇降塔５１の内部を昇降する。昇降機５２は平面から見て、方形状の形状を有し、その４つの角部には上下に設けられた縦桁５２ａが配置され、４つの縦桁５２ａはこれに直角に設けられた複数の横桁５２ｂによって、上下両端部分が強固に連結されている。
【００４５】
昇降機５２の床面には、野菜水耕栽培小型ボックス２を出し入れするための駆動台５２ｃが移動自在に設けられている。駆動台５２ｃの下面側には移動用のキャスターが左右前後に４個取り付けられている。駆動台５２ｃは走行昇降塔５１の走行方向に対して直交方向に移動するように設けられている。これは立体型収納棚４の各ボックス収納棚４１が走行昇降塔５１の走行方向に対して直交方向に向けて設けられているからである。
【００４６】
走行昇降塔５１の走行方向に対して直交方向となる野菜水耕栽培小型ボックス２と向かい合う駆動台５２ｃの前面部分には、前述の収納台車４２の前面中央に設けられたコ字型の係止受け４２ｂに下側から挿入する係止爪５２ｄが形成されている。係止爪５２ｄの先端側は水平に前方に少し突きだし、そこから上向きに直角に曲がっていて、反Ｌ字型に形成されている。
【００４７】
立体型収納棚４が立体型ボックス収納栽培装置３の走行路３３の片側にのみ設けられている場合には、この係止爪５２ｄは駆動台５２ｃの１箇所に設けられるが、走行路３３を挟んでその両側に立体型収納棚４が設けられる場合には、係止爪５２ｄは駆動台５２ｃの前面及び後面の両側にそれぞれ形成される。
【００４８】
昇降機５２の床面上を移動する駆動台５２ｃの下面の中央の両側には、この駆動台５２ｃをボックス収納棚４１に向けて進退動させるための一対のチェーン５２ｅが進退方向間にそれぞれ取り付けられている。中央を挟んでその両側に取り付けられた左右一対のチェーン５２ｅは駆動台５２ｃの移動範囲の間で循環動自在に上下回りに回装されている。
【００４９】
チェーン５２ｄの両端側は駆動台５２ｃの移動範囲の両端側の下端側に設けられた駆動スプロケットと従動スプロケット間で上下に反転して駆動台５２ｃの下面中央の取付片５２ｆにそれぞれ連結されている。チェーン５２ｄと噛み合ってこれを直接駆動させる駆動スプロケットは減速機を介して床面の下面に下向きに取り付けられた棚出入用モータ５２ｇに連動連結されている。
【００５０】
次に、上記発明を実施するための形態の構成に基づく作用について以下説明する。
立体型ボックス収納栽培装置３の立体型収納棚４での野菜水耕栽培小型ボックス２による栽培のための収納作業は次の手順で行われる。
【００５１】
水耕栽培に適した状態まで生育させた野菜苗と栽培に必要な液肥とを栽培トレイ２２ｂに入れ、これを野菜水耕栽培小型ボックス２の栽培室２２の上下の各棚２２ａに載せて、開閉扉２１を閉じる。また、野菜水耕栽培小型ボックス２の制御部収納室２５の制御装置２７で、栽培室２２内での光源の日照時間や温度の管理を調整する。
【００５２】
これらの作業が終わった後、野菜水耕栽培小型ボックス２を収納台車４２に載せ、差込プラグ２ｂを収納台車４２のコンセント４２ｄに差し込んだ後、立体型ボックス収納栽培装置３の出入り口から内部に入れ、出入り口の向かい側に位置する受け渡しステージ４１ａに野菜水耕栽培小型ボックス２を一時的に置く。その後、立体型ボックス収納栽培装置３の走行路３３内にある昇降移動装置５を作動させる。
【００５３】
昇降移動装置５が作動すると、昇降移動装置５の走行昇降塔５１は走行用モータで駆動するスプロケットによって作動するローラーチェーン５１ｇにより、受け渡しステージ４１ａの前まで移動してくる。走行昇降塔５１はレール５ａ上を車輪５１ｃが転動することで移動する。移動する走行昇降塔５１は、その上端側がガイドローラ５１ｆによってガイドされているので、移動中の走行昇降塔５１の上部側が傾くのが防がれ、スムーズに受け渡しステージ４１ａの前まで移動する。
【００５４】
走行昇降塔５１が受け渡しステージ４１ａの前まで移動してくると、その前の下部側に設けられている移動位置検出センサー３４がこれを感知し、ローラーチェーン５１ｇを駆動させている駆動スプロケットを駆動させている走行用モータを停止させる。これにより、受け渡しステージ４１ａの前で走行昇降塔５１の移動は停止する。
【００５５】
続いて、昇降機５２の棚出入用モータ５２ｇが作動して駆動スプロケットを駆動させる。駆動スプロケットの駆動により左右一対のチェーン５２ｅは受け渡しステージ４１ａ側に向けて移動する。各チェーン５２ｅの両端側は駆動台５２ｃの下面の取付片５２ｆに連結されている。このため、この取付片５２ｆを通じて駆動台５２ｃは昇降機５２の床面の上を受け渡しステージ４１ａに向けて移動する。
【００５６】
移動する駆動台５２ｃの前面中央に形成された係止爪５２ｄは、受け渡しステージ４１ａに置かれた野菜水耕栽培小型ボックス２を載せた収納台車４２の前面に形成されたコ字型の係止受け４２ｂの真下に接近する。このとき、受け渡しステージ４１ａの前で停止する昇降機５２の床面は、受け渡しステージ４１ａの床面より係止爪５２ｄの先端側の高さ分だけ低くなるように設定されている。
【００５７】
接近した駆動台５２ｃの係止爪５２ｄが係止受け４２ｂの真下に位置すると、棚出入用モータ５２ｇは停止し、今度は昇降用モータが駆動して、昇降機５２を少しだけ上昇させる。昇降機５２が上昇すると、昇降機５２の床面も上昇し、床面の上の駆動台５２ｃも同じだけ上昇する。これにより、上昇する駆動台５２ｃの前面中央の係止爪５２ｄの先端も上昇して、係止爪５２ｄの先端側は受け渡しステージ４１ａに置かれている収納台車４２の係止受け４２ｂのコ字型の内側に係合する。
【００５８】
駆動台５２ｃの係止爪５２ｄが収納台車４２の係止受け４２ｂの内側に係合すると、棚出入用モータ５２ｇが逆向きに回転し、駆動スプロケットを通じてチェーン５２ｅの上側を受け渡しステージ４１ａから離れる方向に循環移動させる。循環移動するチェーン５２ｅは、取付片５２ｆを通じて駆動台５２ｃを受け渡しステージ４１ａから離れる方向に移動させる。離れる方向に移動する駆動台５２ｃの前面の係止爪５２ｄは、係止受け４２ｂを通じて受け渡しステージ４１ａに置かれて収納台車４２を、昇降機５２の床面側に引き寄せる。
【００５９】
これにより、受け渡しステージ４１ａに載置されていた収納台車４２は、昇降機５２の床面の上に移動して載る。この移動してきた収納台車４２には野菜水耕栽培小型ボックス２が載っている。野菜水耕栽培小型ボックス２を載せた収納台車４２が、昇降機５２の床面の上に完全に乗り移ると、棚出入用モータ５２ｇは停止し、駆動台５２ｃも止まり、係止爪５２ｄを通じて引き寄せられる収納台車４２も停止する。
【００６０】
再び走行用モータが駆動し始めて、駆動スプロケットによってローラーチェーン５１ｇが引っ張られ、これにより走行昇降塔５１はレール５ａ上を走行し始める。走行昇降塔５１が所定の立体型収納棚４の列の前まで移動すると、走行用モータは停止する。モータの停止により、走行昇降塔５１は止まる。
【００６１】
走行用モータが停止すると、昇降用モータが作動し、駆動スプロケットは昇降チェーン５１ｅを引き上げる方向に回転する。これにより、野菜水耕栽培小型ボックス２を載せた収納台車４２が載っている昇降機５２は上昇し、所定高さの段にあるボックス収納棚４１の高さまで上昇すると、高さ位置検出センサー５１ｈによりそれが検知されて、昇降用モータは停止する。
【００６２】
続いて、棚出入用モータ５２ｇが作動し始めて、駆動スプロケットの働きによって、上下回りに循環動自在なチェーン５２ｅの上側はボックス収納棚４１に向けて移動する。この移動するチェーン５２ｅによって、取付片５２ｆを介して駆動台５２ｃはボックス収納棚４１に向けて移動し始める。駆動台５２ｃが移動すると、その前面中央の係止爪５２ｄはその前面の収納台車４２に当たった後、これをボックス収納棚４１に向けて押圧する。
【００６３】
押圧された収納台車４２は駆動台５２ｃに押された状態でボックス収納棚４１に向けて移動する。移動する収納台車４２は昇降機５２の床面からボックス収納棚４１の床面に乗り移る。ボックス収納棚４１に乗り移った収納台車４２は、その奥側に向けてさらに押圧されて移動を続ける。収納台車４２の前面中央側の受電器４２ｃがボックス収納棚４１の奥側の本体側給電器４１ｂに当接することで、棚出入用モータ５２ｇは停止する。
【００６４】
また、このとき、収納台車４２の前面中央側の受電器４２ｃがボックス収納棚４１の奥側の本体側給電器４１ｂに当接することで、立体型収納棚４側の電源が本体側給電器４１ｂ、受電器４２ｃ、コンセント４２ｄ及び差込プラグ２ｂを通じて野菜水耕栽培小型ボックス２に流れて、電源が自動的に供給されることになる。これにより、野菜水耕栽培小型ボックス２内の栽培室２２の光源及び温度調整のための電源は立体型収納棚４の電源を利用することになる。
【００６５】
野菜水耕栽培小型ボックス２を載せた収納台車４２を所定のボックス収納棚４１に収納させると、上記のように棚出入用モータ５２ｇが停止する一方で、昇降用モータが作動して、係止爪５２ｄの先端側が収納台車４２のコ字型の係止受け４２ｂの内側から下側に抜け出る程度の低さだけ、逆向きに昇降用スプロケット５１ｄが回転して停止する。駆動台５２ｃが載っている昇降機５２はその分だけ降下して止まる。
【００６６】
棚出入用モータ５２ｇが逆向き、つまり駆動台５２ｃをボックス収納棚４１から離す方向に作動し、ボックス収納棚４１内に入り込んでいた駆動台５２ｃの前面側の係止爪５２ｄは、そこから後退して昇降機５２内に戻る。駆動台５２ｃ及びその前面側の係止爪５２ｄが昇降機５２内に所定の位置まで戻ると、棚出入用モータ５２ｇは停止し、昇降用モータが作動して昇降機５２を所定の待機位置まで戻す。
【００６７】
以上のような動作手順によって、野菜水耕栽培小型ボックス２の所定のボックス収納棚４１への収納作業は終了する。
【００６８】
野菜水耕栽培小型ボックス２が所定のボックス収納棚４１に収納されると、その情報によって、本体側液肥バルブ４３ｂが開いて、本体側液肥供給管４３を通じて液肥が野菜水耕栽培小型ボックス２のボックス内液肥貯留タンク２６に液肥が供給されることになる。ボックス内液肥貯留タンク２６に一時的に蓄えられた液肥は、ボックス内液肥供給管２４を通じて、重力によりその下側の栽培室２２内の栽培トレイ２２ｂ内に自動的に供給されることになる。
【００６９】
一方、立体型ボックス収納栽培装置３の立体型収納棚４で栽培を終えた野菜水耕栽培小型ボックス２の立体型収納棚４からの取り出し作業は、前述内容と逆の手順で行われることになる。
【００７０】
立体型収納棚４から取り出された野菜水耕栽培小型ボックス２は、差込プラグ２ｂが収納台車４２のコンセント４２ｄから抜かれた後、そのまま輸送車両に載せられる。輸送車両内では差込プラグ２ｂが車両内のコンセント４２ｄに差し込まれて内部の栽培室２２の光源量や温度の管理が引き続き行われながら、消費地の店舗などに搬送される。店舗などに搬送された野菜水耕栽培小型ボックス２は、店舗側のコンセント４２ｄに差込プラグ２ｂが差し込まれて、内部の栽培室２２の光源量や温度の管理が引き続き行われることになる。
【００７１】
このように、立体型ボックス収納栽培装置３から取り出された野菜水耕栽培小型ボックス２の内部の栽培室２２で水耕栽培された野菜は、栽培室２２の外に一度も出されることなく、消費地の店舗などに送ることができるので、新鮮な状態を引き続き維持でき、また消費地の店舗などでも引き続き栽培を続けることも可能となる。
【００７２】
なお、この発明は上記発明を実施するための形態に限定されるものではなく、この発明の精神を逸脱しない範囲で種々の改変をなし得ることは勿論である。
【符号の説明】
【００７３】
２    野菜水耕栽培小型ボックス
２ａ  キャスター
２ｂ  差込プラグ
２１    開閉扉
２２    栽培室
２２ａ  棚
２２ｂ  栽培トレイ
２３    光源
２４    ボックス内液肥供給管
２４ａ  分岐供給管
２５    制御部収納室
２６    ボックス内液肥貯留タンク
２６ａ  排出口
２６ｂ  注入口
２７    制御装置
２８    温度調整装置収納室
２９    温度調整装置
３    立体型ボックス収納栽培装置
３１    鋼製縦フレーム
３２    鋼製横フレーム
３３    走行路
３４    移動位置検出センサー
４    立体型収納棚
４１    ボックス収納棚
４１ａ  受け渡しステージ
４１ｂ  本体側給電器
４２    収納台車
４２ａ  キャスター
４２ｂ  係止受け
４２ｃ  受電器
４２ｄ  コンセント
４３    本体側液肥供給管
４３ａ  分岐供給管
４３ｂ  本体側液肥バルブ
５    昇降移動装置
５ａ  レール
５１    走行昇降塔
５１ａ  縦フレーム
５１ｂ  横フレーム
５１ｃ  車輪
５１ｄ  昇降用スプロケット
５１ｅ  昇降チェーン
５１ｆ  ガイドローラ
５１ｇ  ローラーチェーン
５１ｈ  高さ位置検出センサー
５２    昇降機
５２ａ  縦桁
５２ｂ  横桁
５２ｃ  駆動台
５２ｄ  係止爪
５２ｅ  チェーン
５２ｆ  取付片
５２ｇ  棚出入用モータ
【図１】
2012200222.tif 000003
【図２】
2012200222.tif 000004
【図３】
2012200222.tif 000005
【図４】
2012200222.tif 000006
【図５】
2012200222.tif 000007
【図６】
2012200222.tif 000008
【図７】
2012200222.tif 000009
【図８】
2012200222.tif 000010
【図９】
2012200222.tif 000011
【図１０】
2012200222.tif 000012
【図１１】
2012200222.tif 000013
【図１２】
2012200222.tif 000014
【図１３】
2012200222.tif 000015